(57)【要約】【課題】機能面及び性能面を低下させることなく、搬送、両面読み取り時の再給送及び排出に至る駆動系全体を１個のモータで駆動可能な原稿搬送装置及びそれを備えた画像形成装置を提供する。【解決手段】モータ４３の駆動力は、二段ギヤ４７、４９、クラッチ付ギヤ５０、駆動出力ギヤ５３ａ、アイドルギヤ５４ａ、駆動入力ギヤ５５ａ、５５ｂで構成される第１駆動伝達機構によりピックアップローラ３３、給紙ローラ３４及び反転ローラ３９ａに伝達される。また、大ギヤ５７、ワンウェイギヤ５９、駆動入力ギヤ５５ｃ、駆動出力ギヤ５３ｂ、アイドルギヤ５４ｂ〜５４ｅ、駆動入力ギヤ５５ｄ、５５ｅで構成される第２駆動伝達機構によりレジストローラ３６ａ、搬送ローラ３７ａ及び排出ローラ４０ａに伝達される。【選択図】図４
2010052848.tif 000002
【特許請求の範囲】
【請求項１】
原稿積載部に載置された原稿の上面に圧接され、圧接面を所定方向に移動させて原稿を順次送出する送出手段と、
該送出手段により送出された原稿を１枚ずつ分離して搬送する分離搬送手段と、
該分離搬送手段により搬送された原稿を所定のタイミングで画像読取位置に給送するレジストローラ対と、
前記画像読取位置で第１面の画像を読み取られた原稿を、引き続き第２面の画像を読み取るためにスイッチバックさせて前記レジストローラ対に再給送する反転ローラ対と、
前記画像読取位置での画像の読み取りを完了した原稿を排出する排出ローラ対と、
を備えた原稿搬送装置において、
前記送出手段、前記分離搬送手段及び反転ローラ対に駆動力を伝達する複数のギヤを含む第１駆動伝達機構と、前記レジストローラ対及び排出ローラ対に駆動力を伝達する複数のギヤを含む第２駆動伝達機構と、を有し、
前記第１駆動伝達機構及び第２駆動伝達機構は、１個のモータの駆動出力軸から振り分け駆動伝達されるとともに、前記第１駆動伝達機構の前記分離搬送手段よりも駆動伝達方向上流側にクラッチ機構を設けたことを特徴とする原稿搬送装置。
【請求項２】
前記第２駆動伝達機構は、前記第１駆動伝達機構を構成する何れかのギヤに連結されており、前記クラッチ機構は前記第１駆動伝達機構における前記第２駆動伝達機構との連結位置と前記分離搬送手段との間に設けられることを特徴とする請求項１に記載の原稿搬送装置。
【請求項３】
前記クラッチ機構は、前記分離搬送手段から前記レジストローラ対へ原稿を搬送するとき、若しくは原稿の読み取り終了後に前記送出手段をホームポジションへ移動させるときのみ前記分離搬送手段へ駆動力を伝達することを特徴とする請求項１又は請求項２に記載の原稿搬送装置。
【請求項４】
前記第２駆動伝達機構の前記レジストローラ対よりも駆動伝達方向上流側に、所定の回転方向にのみ駆動力を伝達するワンウェイギヤを設けたことを特徴とする請求項１乃至請求項３のいずれかに記載の原稿搬送装置。
【請求項５】
請求項１乃至請求項４のいずれかに記載の原稿搬送装置を備えた画像形成装置。
【発明の詳細な説明】
【技術分野】
【０００１】
本発明は、デジタル複写機、レーザプリンタ等の画像形成装置に搭載される給紙カセットや原稿搬送装置等の、用紙束から一枚ずつ用紙を分離して給紙する給紙装置に関するものである。
【背景技術】
【０００２】
従来、電子写真プロセスを用いた複写機等に搭載される画像読取装置には、シート状の原稿を読み取るために順次原稿載置台へ送り込み、読み取り終了後に原稿載置台上から排出するような原稿搬送装置（Automatic Document Feeder）を備えたものがある。このような画像読取装置においては、原稿押さえを閉じたままで原稿搬送装置によって原稿を自動的に搬送して読み取るシートスルー方式と、読み取る毎に原稿押さえを開閉して原稿載置台（コンタクトガラス）上の原稿を１枚ずつ取り替える原稿固定方式の２種類の読み取り方式が可能である。
【０００３】
ところで、原稿搬送装置内部の駆動系には通常２個以上のモータを使用しているが、モータの個数が増えるとその分だけコストアップとなる。また、各モータを別個に制御する必要があるため制御方法も複雑になる。さらに、複数のモータを使用することにより消費電力も増加し、部品の配置スペースや重量も大きくなる。
【０００４】
そこで、１個のモータを用いて複数の駆動系を駆動させる方法が種々提案されており、例えば特許文献１には、移動式の読取走査装置と密着型イメージセンサの２つの読取手段を備えた画像読取装置において、原稿繰出、給送動作を含む第１搬送系と、読取手段前後の第２搬送系とに駆動伝達する第１及び第２駆動伝達手段を１個のモータから振り分け駆動伝達されるようにした構成が開示されている。また、特許文献２には、給紙手段とレジスト手段の駆動を１つの駆動手段で行うシート供給装置が開示されている。
【特許文献１】特許第３９７８６１２号公報
【特許文献２】特開２００５−１８７０１６号公報（図９参照）
【発明の開示】
【発明が解決しようとする課題】
【０００５】
しかしながら、特許文献１及び２のいずれも、搬送、両面読み取り時の再給紙及び排出に至る原稿搬送装置の駆動系全体を１個のモータで駆動させるものではないため、小さな事務所や家庭などを職場とする、いわゆるＳＯＨＯ（Small office/Home office）環境で使用するユーザの要求を満足するものではなかった。
【０００６】
本発明は、上記問題点に鑑み、機能面及び性能面を低下させることなく、搬送、両面読み取り時の再給紙及び排出に至る駆動系全体を１個のモータで駆動可能な原稿搬送装置及びそれを備えた画像形成装置を提供することを目的とする。
【課題を解決するための手段】
【０００７】
上記目的を達成するために本発明は、原稿積載部に載置された原稿の上面に圧接され、圧接面を所定方向に移動させて原稿を順次送出する送出手段と、該送出手段により送出された原稿を１枚ずつ分離して搬送する分離搬送手段と、該分離搬送手段により搬送された原稿を所定のタイミングで画像読取位置に給送するレジストローラ対と、前記画像読取位置で第１面の画像を読み取られた原稿を、引き続き第２面の画像を読み取るためにスイッチバックさせて前記レジストローラ対に再給送する反転ローラ対と、前記画像読取位置での画像の読み取りを完了した原稿を排出する排出ローラ対と、を備えた原稿搬送装置において、前記送出手段、前記分離搬送手段及び反転ローラ対に駆動力を伝達する複数のギヤを含む第１駆動伝達機構と、前記レジストローラ対及び排出ローラ対に駆動力を伝達する複数のギヤを含む第２駆動伝達機構と、を有し、前記第１駆動伝達機構及び第２駆動伝達機構は、１個のモータの駆動出力軸から振り分け駆動伝達されるとともに、前記第１駆動伝達機構の前記分離搬送手段よりも駆動伝達方向上流側にクラッチ機構を設けたことを特徴としている。
【０００８】
また本発明は、上記構成の原稿搬送装置において、前記第２駆動伝達機構は、前記第１駆動伝達機構を構成する何れかのギヤに連結されており、前記クラッチ機構は前記第１駆動伝達機構における前記第２駆動伝達機構との連結位置と前記分離搬送手段との間に設けられることを特徴としている。
【０００９】
また本発明は、上記構成の原稿搬送装置において、前記クラッチ機構は、前記分離搬送手段から前記レジストローラ対へ原稿を搬送するとき、若しくは原稿の読み取り終了後に前記送出手段をホームポジションへ移動させるときのみ前記分離搬送手段へ駆動力を伝達することを特徴としている。
【００１０】
また本発明は、上記構成の原稿搬送装置において、前記第２駆動伝達機構の前記レジストローラ対よりも駆動伝達方向上流側に、所定の回転方向にのみ駆動力を伝達するワンウェイギヤを設けたことを特徴としている。
【００１１】
また本発明は、上記構成の原稿搬送装置が搭載された画像形成装置である。
【発明の効果】
【００１２】
本発明の第１の構成によれば、一次給紙に用いる送出手段、分離搬送手段、両面読み取り時の反転及び再給紙に用いる反転ローラ対に駆動力を伝達する第１駆動伝達機構と、二次給紙に用いるレジストローラ対及び排出ローラ対に駆動力を伝達する第２駆動伝達機構とを１個のモータで駆動することができるため、機能面及び性能面を低下させることなくコンパクトで低コストな構成を実現可能となる。また、第１駆動伝達機構の分離搬送手段よりも駆動伝達方向上流側にクラッチ機構を設けることにより、送出手段及び分離搬送手段を原稿から離間させることなく一次給紙を簡単に停止させることができる。
【００１３】
また、本発明の第２の構成によれば、上記第１の構成の原稿搬送装置において、第１駆動伝達機構を構成する何れかのギヤに第２駆動伝達機構を連結するとともに、クラッチ機構を第１駆動伝達機構における第２駆動伝達機構との連結位置と分離搬送手段との間に設けることにより、分離搬送手段、反転ローラ対、レジストローラ対及び排出ローラ対のレイアウトに応じた駆動伝達機構を設計することができる。
【００１４】
また、本発明の第３の構成によれば、上記第１又は第２の構成の原稿搬送装置において、クラッチ機構は分離搬送手段からレジストローラ対へ原稿を一次給紙するとき、若しくは読み取り終了後に送出手段をホームポジションへ移動させるときのみ分離搬送手段へ駆動力を伝達することにより、二次給紙や反転ローラ対からの原稿の再給送が行われている間は分離搬送手段からの原稿の給送を停止させることができる。
【００１５】
また、本発明の第４の構成によれば、上記第１乃至第３のいずれかの構成の原稿搬送装置において、第２駆動伝達機構のレジストローラ対よりも駆動伝達方向上流側に、所定の回転方向にのみ駆動力を伝達するワンウェイギヤを設けることにより、第１駆動伝達機構により分離搬送手段に駆動力が伝達されている間はレジストローラ対への駆動力伝達を遮断することができる。従って、一次給紙された原稿をレジストローラ対で簡便且つ確実に停止させることができる。
【００１６】
また、本発明の第５の構成によれば、上記第１乃至第４のいずれかの構成の原稿搬送装置を搭載することにより、構成が簡単で軽量、コンパクト且つ低コストな画像形成装置となる。
【発明を実施するための最良の形態】
【００１７】
以下、図面を参照しながら本発明の実施形態について説明する。図１は、本発明の原稿搬送装置を備えた画像形成装置の概略構成図である。図１において、画像形成装置１００（ここでは一例としてデジタル複合機を示す）では、コピー動作を行う場合、画像読取装置６において原稿の画像データを読み取り画像信号に変換する。一方、複合機本体２内の画像形成部３において、帯電ユニット４により図中のＡ方向に回転する感光体ドラム５が一様に帯電され、画像読取装置６で読み取られた原稿画像データに基づく露光ユニット（レーザ走査ユニット等）７からのレーザビームにより感光体ドラム５上に静電潜像が形成され、現像ユニット８により静電潜像に現像剤（以下、トナーという）が付着されてトナー像が形成される。この現像ユニット８へのトナーの供給はトナーコンテナ９から行われる。
【００１８】
上記のようにトナー像が形成された感光体ドラム５に向けて、用紙が給紙機構１０から用紙搬送路１１及びレジストローラ対１２を経由して画像形成部３に搬送され、この画像形成部３において転写ローラ１３（画像転写部）により感光体ドラム５の表面におけるトナー像が用紙に転写される。そして、トナー像が転写された用紙は感光体ドラム５から分離され、定着ローラ対１４ａを有する定着部１４に搬送されてトナー像が定着される。定着部１４を通過した用紙は、複数方向に分岐した用紙搬送路１５に送られて、用紙搬送路１５の分岐点に設けられた複数の経路切換ガイドを有する経路切換機構２１、２２によって搬送方向が振り分けられ、そのまま（或いは、用紙搬送路１６に送られて両面コピーされた後に）、第１排出トレイ１７ａ、第２排出トレイ１７ｂから成る用紙排出部に排出される。
【００１９】
また、図示しないが、感光体ドラム５の表面の残留電荷を除去する除電装置がクリーニング装置１８の下流側に設けられている。さらに、給紙機構１０は、複合機本体２に着脱自在に取り付けられ、用紙を収納する複数の給紙カセット１０ａ、１０ｂと、その上方に設けられるスタックバイパス（手差しトレイ）１０ｃとを備えてなり、これらは用紙搬送路１１によって感光体ドラム５及び現像ユニット８等からなる画像形成部３に繋がっている。装置本体上面には画像読取装置６のコンタクトガラス２５（図２参照）上に載置される原稿を押さえて保持するプラテン（原稿押さえ）２４が開閉可能に設けられており、プラテン２４上には原稿搬送装置２７が付設されている。
【００２０】
用紙搬送路１５は、具体的には、定着ローラ対１４ａの下流側において、まず左右二股に分岐し、一方の経路（図１では右方向に分岐する経路）は第１排出トレイ１７ａに連通するように構成されている。そして、他方の経路（図１では左方向に分岐する経路）は搬送ローラ対１９を経由して上下二股に分岐し、一方の経路（図１では上方向に分岐する経路）は第２排出トレイ１７ｂに連通するように構成されている。これに対し、他方の経路（図１では下方向に分岐する経路）は用紙搬送路１６に連通するように構成されている。
【００２１】
図２及び図３は、原稿搬送装置の内部構造を示す側面断面図であり、図２は片面原稿を読み取る場合、図３は両面原稿の第１面を読み取った後、引き続いて第２面を読み取る場合の搬送経路を示している。原稿搬送装置２７は、複数枚の原稿を整合して積載する原稿ガイド２９ａを備えた原稿給紙トレイ２９と、原稿給紙トレイ２９の下方に設けられた反転トレイ３０とを有し、原稿給紙トレイ２９及び反転トレイ３０は原稿搬送装置２７のフレームに対して各々の部材が装着されている。また、原稿搬送装置２７のフレームに対し一端（図の左下）を回動支点としてカバー部材３１が開閉可能に支持されており、このカバー部材３１の側方には原稿排出トレイ３２がプラテン２４（図１参照）の上面の一部に直付けで形成されている。
【００２２】
カバー部材３１内には、ピックアップローラ３３、給紙ローラ３４及び分離パッド３５、レジストローラ対３６ａ、３６ｂ、搬送ローラ対３７ａ、３７ｂ、反転ローラ対３９ａ、３９ｂ、排出ローラ対４０ａ、４０ｂ等から成る原稿搬送手段が設けられている。ピックアップローラ３３は、給紙ローラ３４の回転軸を支点として揺動可能に支持されたアーム（図示せず）の揺動端に取り付けられており、原稿送出時には給紙ローラ３４の回転によりアームを下方向に揺動させてピックアップローラ３３を待避位置（ホームポジション）から給紙位置まで移動させ、ピックアップローラ３３を原稿の上面に押しつける。一方、原稿送出が終了した後は給紙ローラ３４を逆回転させることによりアームを上方向に揺動させてピックアップローラ３３を給紙位置からホームポジションまで移動させる。
【００２３】
また、給紙ローラ３４からレジストローラ対３６ａ、３６ｂに至る第１搬送路ｄ１、レジストローラ対３６ａ、３６ｂから自動読取用ガラス２５ｂを経て原稿排出トレイ３２に至る第２搬送路ｄ２、自動読取用ガラス２５ｂから反転トレイ３０に至る第３搬送路ｄ３、反転トレイ３０からレジストローラ対３６ａ、３６ｂに至る第４搬送路ｄ４が形成されており、カバー部材３１を開放することで各搬送路ｄ１〜ｄ４を開放し、ジャム処理が可能となっている。各搬送路ｄ１〜ｄ４には、原稿の存否或いは通過を検知するための給紙センサ、排出センサを含む複数の用紙検知センサ（図示せず）が適所に設けられている。
【００２４】
コンタクトガラス２５は、手置き原稿用ガラス２５ａと自動読取用ガラス２５ｂから成り、自動読取用ガラス２５ｂ（画像読取位置）に対向して配置されたシェーディング補正用の白基準板と、白基準板の上部にあって白基準板を手置き原稿用ガラス２５ａに向けて押圧するための原稿押圧部（いずれも図示せず）とが設けられている。
【００２５】
次に、原稿搬送装置２７を用いたシートスルー方式の原稿搬送動作について説明する。先ず、図２を参照しながら片面原稿を読み取る場合について説明する。原稿給紙トレイ２９に画像面を上向きにして複数枚の原稿をセットした後、画像形成装置１００の操作パネルのコピー開始ボタンがオンされると、モータ４３（図４参照）により給紙ローラ３４及びピックアップローラ３３が給紙方向に回転を開始し、さらにピックアップローラ３３が給紙位置まで移動することにより、原稿の上面が所定の圧力（給紙圧）でピックアップローラ３３に押しつけられる。
【００２６】
原稿給紙トレイ２９にセットされた原稿は、ピックアップローラ３３によって通常上段の複数枚が給紙ベルト３４と分離パッド３５のニップ部に送られる。そして、複数枚の原稿のうち分離パッド３５により最上の１枚のみが分離され、第１搬送路ｄ１に沿ってレジストローラ対３６ａ、３６ｂに搬送される（一次給紙）。搬送された原稿は、その先端がレジストローラ対３６ａ、３６ｂのニップ部に押圧され、且つその先端部に撓みが形成された状態で停止させられる。
【００２７】
一次給紙が終了してから所定時間経過後、二次給紙が開始される。つまり、モータ４３（図４参照）の作動によりレジストローラ対３６ａ、３６ｂが回転駆動される。原稿は、第２搬送路ｄ２に沿ってレジストローラ対３６ａ、３６ｂから自動読取用ガラス２５ｂに搬送され、さらに搬送ローラ対３７ａ、３７ｂを経て排出ローラ対４０ａ、４０ｂに搬送された後、最終的には排出ローラ対４０ａ、４０ｂによって原稿排出トレイ３２上に排出される。その際、排出センサ（図示せず）により原稿の後端通過を検知することによって、原稿１枚の画像読み取りの完了を検出するようになっている。
【００２８】
ここで排出センサは、原稿の搬送完了毎に原稿枚数を計数するカウント機能を有しており、給紙センサが後続の原稿を検知していれば、２枚目以降の原稿搬送が上記と同様に続行される。なお、原稿は、自動読取用ガラス２５ｂを通過する際に自動読取用ガラス２５ｂに向けて軽く押圧されながら搬送され、その原稿の画像が自動読取用ガラス２５ｂを通じて画像読取装置６（図１参照）により読み取られるようになっている。
【００２９】
続いて、図３を参照しながら両面原稿を読み取る場合について説明する。原稿給紙トレイ２９に第１面（表面）を上向きにして複数枚の原稿をセットした後、画像形成装置１００の操作パネルのコピー開始ボタンがオンされると、ピックアップローラ３３及び給紙ローラ３４が回転駆動される。そして、図２と同様に一次給紙及び二次給紙が行われ、第１面の読み取りが行われる。
【００３０】
自動読取用ガラス２５ｂを通過する際に第１面の読み取りが行われた原稿は、図３に示すように、ガイド部材４１の下方向への移動により第３搬送路ｄ３に振り分けられ、反転ローラ対３９ａ、３９ｂにより反転トレイ３０上に一旦排出される。このとき、原稿の後端は反転ローラ対３９ａ、３９ｂにニップされた状態となっている。次に、ガイド部材４１を図２の状態に戻し、反転ローラ対３９ａ、３９ｂを逆転させることにより、原稿は第２面（裏面）を上にした状態で第４搬送路ｄ４に沿って再びレジストローラ対３６ａ、３６ｂの上流側に搬送され、自動読取用ガラス２５ｂで第２面の画像が読み取られる。その後、第２搬送路ｄ２（図２参照）に沿って搬送ローラ対３７ａ、３７ｂを経て排出ローラ対４０ａ、４０ｂに搬送された後、原稿排出トレイ３２上に排出される。
【００３１】
図４は、原稿搬送装置の駆動伝達機構を示す斜視図である。なお、ここでは説明の便宜のため、レジストローラ対３６ａ、３６ｂ、搬送ローラ対３７ａ、３７ｂ、反転ローラ対３９ａ、３９ｂ、及び排出ローラ対４０ａ、４０ｂのうち、駆動側のローラ３６ａ、３７ａ、３９ａ及び４０ａのみを図示している。本発明の原稿搬送装置においては、ピックアップローラ３３、給紙ローラ３４、レジストローラ３６ａ、搬送ローラ３７ａ、反転ローラ３９ａ及び排出ローラ４０ａを１個のモータ４３で駆動することとしている。また、ギヤ５０は電流のＯＮ／ＯＦＦにより駆動力を伝達、遮断する電磁クラッチを内蔵したクラッチ付ギヤであり、ギヤ５９は所定の回転方向（図の時計方向）にのみ駆動力を伝達するワンウェイギヤである。
【００３２】
モータ４３の駆動力は、出力軸に固定されたピニオンギヤ４５に連結される二段ギヤ４７、４９、クラッチ付ギヤ５０を介して給紙ローラ３４に伝達され、さらに駆動出力ギヤ５３ａ、アイドルギヤ５４ａ及び駆動入力ギヤ５５ａを介してピックアップローラ３３に伝達される。また、二段ギヤ４７、駆動入力ギヤ５５ｂを介して反転ローラ３９ａに伝達される。二段ギヤ４７、４９、クラッチ付ギヤ５０、駆動出力ギヤ５３ａ、アイドルギヤ５４ａ、駆動入力ギヤ５５ａ、５５ｂは、モータ４３の駆動力をピックアップローラ３３、給紙ローラ３４及び反転ローラ３９ａに伝達する第１駆動伝達機構を構成する。
【００３３】
また、モータ４３の駆動力は、二段ギヤ４９に連結される大ギヤ５７、ワンウェイギヤ５９、駆動入力ギヤ５５ｃを介して搬送ローラ３７ａに伝達され、搬送ローラ３７ａのシャフト５１ｃに固定された駆動出力ギヤ５３ｂ、アイドルギヤ５４ｂ〜５４ｅ、駆動入力ギヤ５５ｄ、５５ｅを介してレジストローラ３６ａ及び排出ローラ４０ａに伝達される。大ギヤ５７、ワンウェイギヤ５９、駆動入力ギヤ５５ｃ、駆動出力ギヤ５３ｂ、アイドルギヤ５４ｂ〜５４ｅ、駆動入力ギヤ５５ｄ、５５ｅは、モータ４３の駆動力をレジストローラ３６ａ、搬送ローラ３７ａ及び排出ローラ４０ａに伝達する第２駆動伝達機構を構成する。
【００３４】
図５及び図６は、図４に示す駆動伝達機構により駆動力が伝達される様子を説明する図であり、図５は第１搬送路ｄ１若しくは第４搬送路ｄ４の使用時、図６は第２搬送路ｄ２若しくは第３搬送路ｄ３の使用時をそれぞれ示している。図４〜図６を用いて本発明の原稿搬送装置の駆動伝達機構について詳細に説明する。
【００３５】
第１搬送路ｄ１に沿って原稿を搬送（一次給紙）する場合は、図５に示すようにモータ４３の駆動出力軸に固定されたピニオンギヤ４５を矢印方向（反時計方向）に回転させて駆動力を二段ギヤ４７に伝達させる。駆動力は二段ギヤ４７、４９を介してクラッチ付ギヤ５０に順次伝達され、クラッチ付ギヤ５０は矢印方向（時計方向）に回転する。
【００３６】
これにより、シャフト５１ａを介してクラッチ付ギヤ５０に連結された給紙ローラ３４が時計方向（給紙方向）に回転する。また、シャフト５１ａには駆動出力ギヤ５３ａが固定され、駆動出力ギヤ５３ａにはアイドルギヤ５４ａを介してピックアップローラ３３の駆動入力ギヤ５５ａが連結されているため、ピックアップローラ３３も時計方向（給紙方向）に回転する。
【００３７】
また、二段ギヤ４９に連結された大ギヤ５７を介してワンウェイギヤ５９に矢印方向（反時計方向）の回転力が付与される。ここで、ワンウェイギヤ５９は時計方向に回転する場合のみ駆動力を伝達可能であるため空転し、駆動入力ギヤ５５ｃは回転しない。これにより、モータ４３の駆動力はレジストローラ３６ａ、搬送ローラ３７ａ及び排出ローラ４０ａには伝達されない。従って、第１搬送路ｄ１に沿って搬送されてきた原稿はレジストローラ対３６ａ、３６ｂで停止する。なお、二段ギヤ４７及び駆動入力ギヤ５５ｂ、シャフト５１ｂを介して反転ローラ３９ａも矢印方向（反時計方向）に回転するが、原稿はレジストローラ対３６ａ、３６ｂで停止するため影響はない。
【００３８】
次に、原稿を第２搬送路ｄ２に沿って搬送（二次給紙）する場合は、モータ４３を逆回転させることにより、図６に示すようにピニオンギヤ４５を矢印方向（時計方向）に回転して駆動力を二段ギヤ４７に伝達させる。駆動力は二段ギヤ４７、４９、大ギヤ５７を介してワンウェイギヤ５９に順次伝達される。ワンウェイギヤ５９は矢印方向（時計方向）に回転するため駆動入力ギヤ５５ｃに駆動力が伝達され、駆動入力ギヤ５５ｃは矢印方向（反時計方向）に回転する。これにより、シャフト５１ｃを介して駆動入力ギヤ５５ｃに連結された搬送ローラ３７ａも反時計方向（搬送方向）に回転する。
【００３９】
また、シャフト５１ｃの他端に固定された駆動出力ギヤ５３ｂにはアイドルギヤ５４ｂを介して駆動入力ギヤ５５ｄが連結され、アイドルギヤ５４ｃ〜５４ｅを介して駆動入力ギヤ５５ｅが連結されている。駆動入力ギヤ５５ｄ、５５ｅには、それぞれシャフト５１ｄ、５１ｅを介してレジストローラ３６ａ、排出ローラ４０ａが連結されているため、レジストローラ３６ａ及び排出ローラ４０ａも搬送ローラ３７ａと同じ反時計方向（搬送方向）に回転する。
【００４０】
従って、モータ４３を逆回転させることにより、レジストローラ対３６ａ、３６ｂで停止した原稿は、第２搬送路ｄ２に沿って自動読取用ガラス２５ｂ、搬送ローラ対３７ａ、３７ｂ、排出ローラ対４０ａ、４０ｂへと順次搬送された後、原稿排出トレイ３２に排出される。このとき、クラッチ付ギヤ５０はＯＦＦとなっており、給紙ローラ３４及びピックアップローラ３３への駆動力の伝達が遮断されるため、原稿給紙トレイ２９から後続する原稿が給送されない。
【００４１】
また、両面原稿の第２面を読み取る場合は、ガイド部材４１（図３参照）を下方向に移動させることで、搬送ローラ対３７ａ、３７ｂを通過した原稿が反転ローラ対３９ａ、３９ｂに振り分けられる。このとき、図６に示すように反転ローラ３９ａは時計方向（反転トレイ３０への搬入方向）に回転しているため、原稿は第３搬送路ｄ３に沿って反転ローラ対３９ａ、３９ｂへと搬送された後、反転トレイ３０へと搬入される。
【００４２】
その後、反転トレイ３０上に搬入された原稿を第４搬送路ｄ４に沿ってレジストローラ対３６ａ、３６ｂへ再給送する場合は、モータ４３を再び逆回転させてピニオンギヤ４５を反時計方向に回転させる。これにより、図５に示すように反転ローラ３９ａが反時計方向（スイッチバック方向）に回転する。このときガイド部材４１を上方向に移動させることで、スイッチバックされた原稿は第４搬送路ｄ４に沿ってレジストローラ対３６ａ、３６ｂまで搬送される。そして、図５の状態ではモータ４３の駆動力はレジストローラ３６ａに伝達されないため、搬送されてきた原稿はレジストローラ対３６ａ、３６ｂで停止する。レジストローラ対３６ａ、３６ｂからの二次給紙及び原稿搬出トレイ３２への排出は上述と同様であるため説明を省略する。
【００４３】
また、第４搬送路ｄ４を使用して第２面の読み取りを行う場合は、クラッチ付ギヤ５０をＯＦＦとしておく。これにより、給紙ローラ３４及びピックアップローラ３３への駆動力の伝達が遮断されるため、原稿給紙トレイ２９からの後続する原稿の給送を防止することができる。
【００４４】
そして、全ての原稿の読み取りが終了した後、モータ４３を逆回転（図６の方向に回転）させるとともに、クラッチ付ギヤ５０をＯＮとすることにより、給紙ローラ３４が給紙方向と逆回転する。これにより、給紙ローラ３４の回転軸に連結されたアームが持ち上げられ、アームの揺動端に取り付けられたピックアップローラ３３が給紙位置からホームポジションへと移動する。
【００４５】
その他、本発明は上記実施形態に限定されず、本発明の趣旨を逸脱しない範囲で種々の変更が可能である。例えば、図４〜図６に示した駆動伝達機構は一例であり、第１駆動伝達機構或いは第２駆動伝達機構を構成するギヤの枚数や配置は原稿搬送装置２７の構成に応じて適宜選択することができる。
【００４６】
また、クラッチ付ギヤ５０やワンウェイギヤ５９の配置についても上記配置に限定されるものではない。例えばクラッチ付ギヤ５０は、給紙ローラ３４及びピックアップローラ３３の駆動を独立して制御できるように第２駆動伝達機構が連結されるギヤ（ここでは二段ギヤ４９）と給紙ローラ３４との間に設けておけば良い。また、ワンウェイギヤ５９は、一次給紙中にレジストローラ３６ａを停止できるように、第２駆動伝達機構においてレジストローラ３６ａよりも駆動伝達方向上流側に設けておけば良い。
【００４７】
また、原稿搬送装置２７の他の部分についても任意に設計変更可能である。例えば給紙ローラ３４に代えて給紙ベルトを用いても良いし、分離パッド３５に代えて分離ローラを用いても良い。また、電磁クラッチの代わりにギヤの噛み合いやクラッチ板の摩擦、或いは遠心力等を利用して駆動力を断続する機械式クラッチを内蔵したクラッチ付ギヤ５０を用いることもできる。
【産業上の利用可能性】
【００４８】
本発明は、原稿積載部に載置された原稿を１枚ずつ分離して一次給紙する分離搬送手段と、搬送された原稿を所定のタイミングで画像読取位置に二次給紙するレジストローラ対と、両面読み取り時に原稿をスイッチバックさせてレジストローラ対に再給送する反転ローラ対と、読み取りを完了した原稿を排出する排出ローラ対とを備えた原稿搬送装置に利用可能であり、分離搬送手段及び反転ローラ対に駆動力を伝達する第１駆動伝達機構と、レジストローラ対及び排出ローラ対に駆動力を伝達する第２駆動伝達機構とが１個のモータで振り分け駆動されるとともに、第１駆動伝達機構の分離搬送手段よりも駆動伝達方向上流側にクラッチ機構を設けたものである。
【００４９】
これにより、機能面及び性能面を低下させることなく、軽量、コンパクトで低コストな原稿搬送装置を提供することができる。また、クラッチ機構により分離搬送手段を原稿から離間させることなく一次給紙を簡単に停止できるため、原稿の読み取り効率も向上させることができる。さらに、クラッチ機構を用いて反転ローラ対からの原稿の再給送が行われている間は分離搬送手段からの一次給紙を停止させることで、原稿の重送を容易に防止することができる。
【００５０】
また、第１駆動伝達機構を構成する何れかのギヤに第２駆動伝達機構を連結するとともに、クラッチ機構を第２駆動伝達機構の連結位置と分離搬送手段との間に設けることにより、原稿搬送装置内の原稿搬送手段のレイアウトに応じて第２駆動伝達機構の連結位置を調整できるため、駆動伝達機構を自由に設計することができる。
【００５１】
また、第２駆動伝達機構のレジストローラ対よりも駆動伝達方向上流側にワンウェイギヤを設けることで、一次給紙中のレジストローラ対への駆動力伝達を遮断して一次給紙された原稿をレジストローラ対で確実に停止させることができる。
【図面の簡単な説明】
【００５２】
【図１】は、本発明の原稿搬送装置が搭載された画像形成装置の全体構成を示す側面断面図である。
【図２】は、本発明の原稿搬送装置の内部構造（片面原稿の読み取り時）を示す側面断面図である。
【図３】は、本発明の原稿搬送装置の内部構造（両面原稿の第２面読み取り時）を示す側面断面図である。
【図４】は、本発明の原稿搬送装置の駆動伝達機構を示す斜視図である。
【図５】は、一次給紙時若しくは反転トレイからの再給紙時に駆動力が伝達される様子を説明する駆動伝達機構の側面図である。
【図６】は、二次給紙時、原稿排出時若しくは反転トレイへの原稿搬入時に駆動伝達機構により駆動力が伝達される様子を説明する駆動伝達機構の側面図である。
【符号の説明】
【００５３】
２７              原稿搬送装置
２９              原稿給紙トレイ（原稿積載部）
３０              反転トレイ
３２              原稿排出トレイ
３３              ピックアップローラ（送出手段）
３４              給紙ローラ（分離搬送手段）
３５              分離パッド（分離搬送手段）
３６ａ、３６ｂ    レジストローラ対
３７ａ、３７ｂ    搬送ローラ対
３９ａ、３９ｂ    反転ローラ対
４０ａ、４０ｂ    排出ローラ対
４１              ガイド部材
４３              モータ
４５              ピニオンギヤ
４７、４９        二段ギヤ
５０              クラッチ付ギヤ（クラッチ機構）
５１ａ〜５１ｅ    シャフト
５３ａ、５３ｂ    駆動出力ギヤ
５４ａ〜５４ｅ    アイドルギヤ
５５ａ〜５５ｅ    駆動出力ギヤ
５７              大ギヤ
５９              ワンウェイギヤ
１００            画像形成装置
ｄ１              第１搬送路
ｄ２              第２搬送路
ｄ３              第３搬送路
ｄ４              第４搬送路
【図１】
2010052848.tif 000003
【図２】
2010052848.tif 000004
【図３】
2010052848.tif 000005
【図４】
2010052848.tif 000006
【図５】
2010052848.tif 000007
【図６】
2010052848.tif 000008